(57)【特許請求の範囲】
【請求項１】
一方の端部および他方の端部を有する筒状をなすものであって、当該一方の端部および他方の端部のそれぞれが閉鎖された除菌容器と、
前記除菌容器内を前記除菌容器の軸方向に沿って指向する入口側除菌室および出口側除菌室の２つに仕切るものであって、当該入口側除菌室および当該出口側除菌室相互間に位置すると共に前記除菌容器の軸方向に沿って指向する筒状の保護管を有する仕切部材と、
前記保護管内に設けられたものであって、前記除菌容器の軸方向に沿って指向する紫外線投射器と、
前記除菌容器に設けられ、前記入口側除菌室内に水を供給するものであって当該水が前記入口側除菌室内を前記一方の端部の側から前記他方の端部の側に向けて流れるように前記除菌容器の前記一方の端部の側に配置された入口と、
前記仕切部材に設けられ、前記入口側除菌室内から前記出口側除菌室内に水を供給するものであって当該水が前記出口側除菌室内を前記他方の端部の側から前記一方の端部の側に向けて流れるように前記除菌容器の前記他方の端部の側に配置された通水口と、
前記除菌容器に設けられ、前記除菌容器内から水を排出するものであって前記除菌容器の前記一方の端部の側に配置された出口を備え、
前記保護管は、前記紫外線投射器から投射された紫外線を前記入口側除菌室内および前記出口側除菌室内のそれぞれに照射する紫外線が透過可能なものであることを特徴とする除菌浄化装置。
【請求項２】
前記除菌容器の内面には、前記入口側除菌室内および前記出口側除菌室内のそれぞれに位置して紫外線を反射する反射層が設けられていることを特徴とする請求項１に記載の除菌浄化装置。
【請求項３】
前記仕切部材は、前記仕切部材を前記除菌容器の軸方向に対して直交する方向から見た場合に次の１）第１の端面〜４）第４の端面を有する四角形状をなすものであって、１）第１の端面と２）第２の端面と３）第３の端面のそれぞれが前記除菌容器の内面に接触すると共に４）第４の端面が前記除菌容器の内面から離間するものであり、
１）前記除菌容器の軸方向に沿って指向する第１の端面
２）前記除菌容器の軸方向に沿って指向するものであって、前記第１の端面とは前記保護管を挟んで反対側に位置する第２の端面
３）前記除菌容器の前記一方の端部の側に位置する第３の端面
４）前記除菌容器の前記他方の端部の側に位置する第４の端面
前記通水口を水が流れる方向から見た場合の前記通水口の面積は、前記入口および前記出口のそれぞれを水が流れる方向から見た場合の前記入口および前記出口のそれぞれの面積以上に設定されていることを特徴とする請求項１または２に記載の除菌浄化装置。
【請求項４】
前記紫外線投射器の軸方向の中心から前記除菌容器の内表面までの距離ｒは、次式において前記紫外線投射器が投射する紫外線の強度Ｗと前記除菌容器の軸方向の長さ寸法ｌｋと前記紫外線投射器の軸方向の長さ寸法ｌと前記出口から排出される水の流量Ｌと吸光係数αと溶質濃度ｃと前記保護管の半径Ｃのそれぞれに予め決められた値を投入した場合の前記入口側除菌室および前記出口側除菌室に対する紫外線の照射量Ａを極大とする値に設定されていることを特徴とする請求項１に記載の除菌浄化装置。
Ａ＝｛（Ｗ・ｌｋ・ｒ）／（２・ｌ・Ｌ・ｅｘｐ（αｃｒ））｝
−｛（Ｗ・ｌｋ・Ｃ2 )／(２・ｒ・ｌ・Ｌ・ｅｘｐ（αｃｒ）)｝
【発明の詳細な説明】
【技術分野】
【０００１】
本発明の実施例は除菌浄化装置に関する。
【背景技術】
【０００２】
例えば洗濯機には除菌浄化装置を備えたものがある。この除菌浄化装置は風呂水を除菌するものであり、風呂水は除菌されることで衣類を洗うための水または衣類をすすぐための水として使用される。
【先行技術文献】
【特許文献】
【０００３】
【特許文献１】特開２００８−１２５８２３号公報
【特許文献２】特開２０００−１６７２８８号公報
【特許文献３】特開平０９−４７５９８号公報
【特許文献４】特開平０９−２７１７６６号公報
【発明の概要】
【発明が解決しようとする課題】
【０００４】
従来の除菌浄化装置の場合には外部に溜めた水、本実施例では例えば風呂水をオゾンまたは金属イオンで除菌している。この風呂水をオゾンで除菌する場合には人体に有害なガスが除菌浄化装置から外部に漏れる虞があり、風呂水を金属イオンで除菌する場合には衣類に金属イオンが付着することで衣類が変色する虞がある。
【課題を解決するための手段】
【０００５】
実施例の除菌浄化装置は、一方の端部および他方の端部を有する筒状をなすものであって当該一方の端部および他方の端部のそれぞれが閉鎖された除菌容器と、前記除菌容器内を前記除菌容器の軸方向に沿って指向する入口側除菌室および出口側除菌室の２つに仕切るものであって当該入口側除菌室および当該出口側除菌室相互間に位置すると共に前記除菌容器の軸方向に沿って指向する筒状の保護管を有する仕切部材と、前記保護管内に設けられたものであって前記除菌容器の軸方向に沿って指向する紫外線投射器と、前記除菌容器に設けられ前記入口側除菌室内に水を供給するものであって当該水が前記入口側除菌室内を前記一方の端部の側から前記他方の端部の側に向けて流れるように前記除菌容器の前記一方の端部の側に配置された入口と、前記仕切部材に設けられ前記入口側除菌室内から前記出口側除菌室内に水を供給するものであって当該水が前記出口側除菌室内を前記他方の端部の側から前記一方の端部の側に向けて流れるように前記除菌容器の前記他方の端部の側に配置された通水口と、前記除菌容器に設けられ前記除菌容器内から水を排出するものであって前記除菌容器の前記一方の端部の側に配置された出口を備え、前記保護管は前記紫外線投射器から投射された紫外線を前記入口側除菌室内および前記出口側除菌室内のそれぞれに照射する紫外線が透過可能なものであるところに特徴を有する。
【図面の簡単な説明】
【０００６】
【図１】実施例１を示す図（洗濯機の内部構成を示す図）
【図２】図３のＸ２線に沿う断面図
【図３】図２のＸ２線に沿う断面図
【図４】保護容器を示す図（ａはＸａ視図、ｂはＸｂ視図、ｃはＸｃ視図）
【図５】距離ｒを説明するための図
【発明を実施するための形態】
【実施例１】
【０００７】
図１の外箱１は床面に設置されるものであり、外箱１内には水槽２が収納されている。この水槽２は水道水および風呂水のそれぞれを受けるものであり、底板を有する縦長な円筒状をなしている。この水槽２の底板には水槽２の外部に位置して洗濯モータ３が固定されている。この洗濯モータ３は上下方向へ指向する回転軸４を有するものであり、洗濯モータ３の回転軸４は水槽２内に挿入されている。この洗濯モータ３はクラッチ機構を有するものであり、クラッチ機構は洗いモードおよび脱水モード相互間で機械的な状態が切換えられる。
【０００８】
洗濯モータ３の回転軸４には、図１に示すように、洗濯槽５およびパルセータ６が連結されている。洗濯槽５は底板を有する縦長な円筒状をなすものであり、水槽２内に収納されている。この洗濯槽５は複数の貫通孔を有するものであり、水槽２内の水道水および風呂水のそれぞれは複数の貫通孔を通して水槽２内および洗濯槽５内相互間で流通可能にされている。この洗濯槽５は衣類が投入されるものであり、パルセータ６は洗濯槽５内の底部に収納されている。このパルセータ６は洗濯槽５内の水道水および風呂水のそれぞれを撹拌するものであり、洗濯モータ３はクラッチ機構の洗いモードで運転されることでパルセータ６を洗濯槽５の静止状態で回転操作し、クラッチ機構の脱水モードで運転されることで洗濯槽５およびパルセータ６のそれぞれを回転操作する。
【０００９】
外箱１内には、図１に示すように、給水弁７が固定されている。この給水弁７は入口８を有するものであり、給水弁７の入口８はホースを介して水道の蛇口に接続されている。この給水弁７は注水口９および呼び水口１０を有するものであり、閉鎖状態と注水状態と呼び水状態相互間で切換えられる。この閉鎖状態は注水口９および呼び水口１０のそれぞれが閉鎖された状態であり、注水状態は呼び水口１０の閉鎖状態で注水口９が開放された状態であり、呼び水状態は注水口９の閉鎖状態で呼び水口１０が開放された状態である。
【００１０】
外箱１内には、図１に示すように、注水ケース１１が固定されている。この注水ケース１１はホース１２を介して給水弁７の注水口９に接続されたものであり、給水弁７の注水状態では水道の蛇口から注水口９とホース１２と注水ケース１１のそれぞれを通して水槽２内に水道水が注入される。
【００１１】
外箱１内には、図１に示すように、給水ポンプ１３が固定されている。この給水ポンプ１３はポンプモータを駆動源とするものであり、入口１４と出口１５と呼び水口１６を有している。この給水ポンプ１３の入口１４にはホース１７を介して給水口１８が接続されている。この給水口１８は浴槽１９内の風呂水中に沈められるものであり、給水口１８が風呂水中に沈められた状態でポンプモータが運転された場合には風呂水が給水口１８からホース１７および入口１４のそれぞれを通して給水ポンプ１３内に吸い上げられる。
【００１２】
給水ポンプ１３の呼び水口１６は、図１に示すように、ホース２０を介して給水弁７の呼び水口１０に接続されたものであり、給水弁７の呼び水状態では水道の蛇口から呼び水口１０とホース２０と呼び水口１６のそれぞれを通して給水ポンプ１３に水道水が呼び水として供給される。このホース２０には逆止弁２１が介在されている。この逆止弁２１は給水弁７の呼び水口１０からホース２０を通して給水ポンプ１３の呼び水口１６に水道水が供給されることを許容するものであり、給水ポンプ１３の呼び水口１６からホース２０を通して給水弁７の呼び水口１０に風呂水が供給されることを禁止する。
【００１３】
外箱１内には、図１に示すように、除菌浄化装置２２が固定されている。この除菌浄化装置２２は入口２３および出口２４を有するものであり、除菌浄化装置２２の入口２３はホース２５を介して給水ポンプ１３の出口１５に接続され、除菌浄化装置２２の出口２４はホース２６を介して注水ケース１１に接続されている。この除菌浄化装置２２はポンプモータが運転された場合に給水ポンプ１３の出口１５からホース２５および入口２３のそれぞれを通して風呂水が注入されるものであり、除菌浄化装置２２内に注入された風呂水は除菌浄化装置２２の出口２４からホース２６および注水ケース１１のそれぞれを通して水槽２内に注入される。
【００１４】
水槽２には、図１に示すように、排水管２７が接続されており、排水管２７には排水弁２８が介在されている。この排水弁２８は閉鎖状態および開放状態相互間で切換えられるものであり、排水弁２８の閉鎖状態では注水ケース１１内から水槽２内に注入された水道水および風呂水のそれぞれが水槽２内に貯留され、排水弁２８の開放状態では水槽２内の水道水および風呂水のそれぞれが排水管２７を通して排出される。
【００１５】
除菌浄化装置２２は風呂水が注入された場合に風呂水を除菌することで浄化するものであり、除菌浄化装置２２が除菌した風呂水は注水ケース１１を通して水槽２内に衣類を洗うための水および衣類をすすぐための水のそれぞれとして注入される。この除菌浄化装置２２の詳細構成は次の通りである。
【００１６】
外箱１内には、図２に示すように、上分割容器３１が収納されている。この上分割容器３１は合成樹脂を射出成形してなるものであり、左端面と右端面と下面のそれぞれが開口する半円筒状をなしている。この上分割容器３１は軸心線が左右方向へ水平に指向する横長なものであり、前上プレート３２および後上プレート３３を有している。これら前上プレート３２および後上プレート３３のそれぞれは上分割容器３１を射出成形するときに上分割容器３１に一体に成形されたものであり、前上プレート３２は上分割容器３１の表面から前に向けて突出する水平な平板状をなし、後上プレート３３は上分割容器３１の表面から後に向けて突出する水平な平板状をなしている。
【００１７】
外箱１内には、図２に示すように、下分割容器３４が収納されている。この下分割容器３４は合成樹脂を射出成形してなるものであり、左端面と右端面と上面のそれぞれが開口する半円筒状をなしている。この下分割容器３４は軸心線が左右方向へ水平に指向する横長なものであり、前下プレート３５および後下プレート３６を有している。これら前下プレート３５および後下プレート３６のそれぞれは下分割容器３４を射出成形するときに下分割容器３４に一体に成形されたものであり、前下プレート３５は下分割容器３４の表面から前に向けて突出する水平な平板状をなし、後下プレート３６は下分割容器３４の表面から後に向けて突出する水平な平板状をなしている。
【００１８】
上分割容器３１の前上プレート３２には、図２に示すように、ネジ３７が挿入されている。このネジ３７は下分割容器３４の前下プレート３５に螺合されており、前上プレート３２および前下プレート３５相互間はネジ３７で締結されている。上分割容器３１の後上プレート３３にはネジ３７が挿入されている。このネジ３７は下分割容器３４の後下プレート３６に螺合されており、後上プレート３３および後下プレート３６相互間はネジ３７で締結され、上分割容器３１は前上プレート３２の前下プレート３５に対する締結力および後上プレート３３の後下プレート３６に対する締結力で下分割容器３４に接合されている。
【００１９】
上分割容器３１の前上プレート３２および下分割容器３４の前下プレート３５相互間には、図２に示すように、ゴム製のパッキン３８が介在されている。このパッキン３８はネジ３７の締結力で弾性的に押しつぶされたものであり、弾性的な復元力で前上プレート３２および前下プレート３５のそれぞれに接触することで前上プレート３２および前下プレート３５相互間を水密状態に閉鎖している。上分割容器３１の後上プレート３３および下分割容器３４の後下プレート３６相互間にはパッキン３８が介在されている。このパッキン３８はネジ３７の締結力で弾性的に押しつぶされたものであり、弾性的な復元力で後上プレート３３および後下プレート３６のそれぞれに接触することで後上プレート３３および後下プレート３６相互間を水密状態に閉鎖している。
【００２０】
上分割容器３１および下分割容器３４相互間には、図３に示すように、左端部および右端部のそれぞれに位置して蓋３９が固定されている。これら２つの蓋３９のそれぞれは栓４０および端板４１を有するものであり、２つの蓋３９のそれぞれには栓４０および端板４１を左右方向に貫通する円形状の貫通孔４２が形成されている。これら２つの蓋３９のそれぞれの栓４０は円柱状をなすものであり、上分割容器３１の内周面および下分割容器３４の内周面相互間に面接触状態で嵌め込まれている。これら２つの蓋３９のそれぞれの端板４１は栓４０に比べて直径寸法が大きな円板状をなすものであり、一方の端板４１は上分割容器３１および下分割容器３４のそれぞれの左端面に接触し、他方の端板４１は上分割容器３１および下分割容器３４のそれぞれの右端面に接触している。即ち、上分割容器３１と下分割容器３４と２つの蓋３９は左右方向へ水平に指向する円筒状の除菌容器４３を構成するものである。この除菌容器４３は左端面および右端面のそれぞれが水密に閉鎖された円筒状をなすものであり、外箱１内に給水ポンプ１３の下方に位置して固定されている。
【００２１】
除菌容器４３には、図３に示すように、下分割容器３４の右端部に位置して入口２３が固定され、上分割容器３１の右端部に位置して出口２４が固定されている。これら入口２３および出口２４のそれぞれは上下方向へ鉛直に指向する円筒状をなすものであり、内径寸法および外径寸法のそれぞれが相互に同一に設定されている。これら入口２３および出口２４のそれぞれは上下方向に相互に対向するものであり、給水ポンプ１３の出口１５から吐出された風呂水は除菌容器４３内に入口２３を通して下から上へ注入され、除菌容器４３内の風呂水は出口２４を通して下から上へ排出される。
【００２２】
除菌容器４３内には、図３に示すように、保護容器４４が収納されている。この保護容器４４は紫外線を透過可能なＰＴＦＥ（ポリテトラフルオロエチレン）を射出成形することで成形されたものであり、左右方向へ水平に指向する円筒状をなしている。この保護容器４４の左端部は一方の蓋３９の貫通孔４２内に面接触状態で嵌め込まれ、保護容器４４の右端部は他方の蓋３９の貫通孔４２内に面接触状態で嵌め込まれており、保護容器４４は左端部および右端部のそれぞれが蓋３９で支持されることで固定されている。この保護容器４４は保護管に相当する。
【００２３】
保護容器４４の外周面には、図３に示すように、左端部および右端部のそれぞれに位置して円環状のシール板４５が固定されており、２つのシール板４５のそれぞれは凹部４６内に嵌め込まれている。これら２つの凹部４６のそれぞれは蓋３９の栓４０に形成されたものであり、２つのシール板４５のそれぞれは保護容器４４の外周面および蓋３９の内周面相互間を水密状態に閉鎖している。
【００２４】
保護容器４４は、図４に示すように、前仕切板４７および後仕切板４８を有している。これら前仕切板４７および後仕切板４８のそれぞれは保護容器４４を射出成形するときに保護容器４４に一体に成形されたものであり、前仕切板４７は保護容器４４の表面から前に向けて突出する水平な板状をなし、後仕切板４８は保護容器４４の表面から後に向けて突出する水平な板状をなしている。これら保護容器４４と前仕切板４７と後仕切板４８は仕切部材４９を構成するものである。この仕切部材４９は上下方向から見た場合に左右方向の長さ寸法が前後方向の長さ寸法に比べて大きな長方形状をなすものであり、前端面と後端面と左端面と右端面を有している。この仕切部材４９を上下方向から見た場合の前端面は第１の端面に相当し、後端面は第２の端面に相当し、右端面は第３の端面に相当し、左端面は第４の端面に相当する。
【００２５】
除菌容器４３内には、図３に示すように、下除菌室５０および上除菌室５１の２つが形成されている。上除菌室５１は除菌容器４３内のうち仕切部材４９に比べて上方の空間を称するものである。この上除菌室５１は左右方向へ水平に指向する横長なものであり、上除菌室５１の右端部には出口２４が接続されている。下除菌室５０は除菌容器４３内のうち仕切部材４９に比べて下方の空間を称するものである。この下除菌室５０は左右方向へ水平に指向する横長なものであり、上除菌室５１に仕切部材４９を介して隣接している。この下除菌室５０の右端部には入口２３が接続されており、給水ポンプ１３の出口１５から吐出された風呂水は入口２３を通って下除菌室５０内の右端部に注入される。この下除菌室５０は入口側除菌室に相当し、上除菌室５１は出口側除菌室に相当する。
【００２６】
前仕切板４７および後仕切板４８のそれぞれの右端面は右方のシール板４５および右方の栓４１の双方に面接触しており、給水ポンプ１３の出口１５から入口２３を通して下除菌室５０内の右端部に注入された風呂水は前仕切板４７の右端面および右方のシール板４５相互間と前仕切板４７の右端面および右方の栓４０相互間と後仕切板４８の右端面および右方のシール板４５相互間と後仕切板４８の右端面および右方の栓４０相互間のそれぞれを通って上除菌室５１内に進入することなく保護容器４４と前仕切板４７と後仕切板４８のそれぞれに沿って下除菌室５０内を右から左へ流れる。
【００２７】
除菌容器４３には、図２に示すように、前凹部５２および後凹部５３が形成されており、前仕切板４７の前端部は前凹部５２内に面接触状態で嵌め込まれ、後仕切板４８の後端部は後凹部５３内に面接触状態で嵌め込まれている。前凹部５２は前仕切板４７の前端部および除菌容器４３の内周面相互間の接触面積を増やすことで両者のシール性を高めるものであり、風呂水が前仕切板４７の前端面および除菌容器４３の内周面相互間を通って下除菌室５０内および上除菌室５１内相互間で流通することを防止する。後凹部５３は後仕切板４８の後端部および除菌容器４３の内周面相互間の接触面積を増やすことで両者のシール性を高めるものであり、風呂水が後仕切板４８の後端面および除菌容器４３の内周面相互間を通って下除菌室５０内および上除菌室５１内相互間で流通することを防止する。
【００２８】
除菌容器４３内には、図４に示すように、前通水口５４および後通水口５５が形成されている。前通水口５４は前仕切板４７の左端面に比べて左方の空間を称するものであり、後通水口５５は後仕切板４８の左端面に比べて左方の空間を称するものであり、下除菌室５０内を右から左へ流れる風呂水は前通水口５４および後通水口５５のそれぞれを通って上除菌室５１内の左端部に進入する。この上除菌室５１は前通水口５４および後通水口５５のそれぞれのみを介して下除菌室５０に通じるものであり、上除菌室５１内の左端部に進入した風呂水は保護容器４４と前仕切板４７と後仕切板４８のそれぞれに沿って上除菌室５１内を左から右へ流れることで出口２４から排出される。これら前通水口５４および後通水口５５は通水口５６を構成するものであり、前通水口５４および後通水口５５を上下方向から見た場合の両者の合計の面積は入口２３および出口２４のそれぞれの水平方向の内側の断面積に比べて大きく設定されている。
【００２９】
保護容器４４内には、図３に示すように、紫外線投射器に相当するＵＶランプ５７が収納されている。このＵＶランプ５７は左右方向へ指向する円筒状のガラス管を有するものであり、ガラス管は紫外線を透過可能な石英ガラスを材料に成形されている。このガラス管は軸心線が保護容器４４の軸心線に重なるものであり、ガラス管内にはアルゴン等の不活性ガスおよび水銀が封入され、ガラス管の左端部および右端部のそれぞれには電極５８が固定されている。これら２つの電極５８のそれぞれは電源にリード線を介して電気的に接続されたものであり、２つの電極５８相互間に電圧が印加された場合にはガラス管内で放電が発生することでガラス管を通して紫外線が照射される。このＵＶランプ５７のガラス管は保護容器４４と共に下除菌室５０および上除菌室５１相互間に配置されたものであり、ＵＶランプ５７のガラス管を通して照射された紫外線は保護容器４４を通して下除菌室５０内および上除菌室５１内のそれぞれに照射される。即ち、ＵＶランプ５７は風呂水が下除菌室５０内を右から左へ流れる場合および上除菌室５１内を左から右へ流れる場合のそれぞれに風呂水に紫外線を照射するものであり、風呂水は除菌容器４３内で紫外線が照射されることで除菌される。
【００３０】
除菌容器４３には、図３に示すように、下反射層５９および上反射層６０が形成されている。下反射層５９は下分割容器３４の内周面にクロムメッキを施してなるものである。この下反射層５９は下分割容器３４の基材に比べて紫外線の反射率が高いものであり、ＵＶランプ５７から下除菌室５０内に投射された紫外線を保護容器４４の軸心線に向けて反射する。上反射層６０は上分割容器３１の内周面にクロムメッキを施してなるものである。この上反射層６０は上分割容器３１の基材に比べて紫外線の反射率が高いものであり、ＵＶランプ５７から上除菌室５１内に投射された紫外線を保護容器４４の軸心線に向けて反射する。これら下反射層５９および上反射層６０のそれぞれは反射層に相当する。
【００３１】
次の演算式はＡを演算するためのものである。図５の（ａ）は次の演算式のうちＷとｌｋとｌとＬとαとｃとＣのそれぞれを固定し、ｒの大きさに応じてＡの大きさが変化する様子を演算したものであり、ｒはＡを極大Ａｍａｘとする値ｒｇに設定されている。
Ａ＝｛（Ｗ・ｌｋ・ｒ）／（２・ｌ・Ｌ・ｅｘｐ（αｃｒ））｝
−｛（Ｗ・ｌｋ・Ｃ2  ）／（２・ｒ・ｌ・Ｌ・ｅｘｐ（αｃｒ））｝
但し、Ａは下除菌室５０内および上除菌室５１内の紫外線の照射量であり、照射量Ａの単位は（Ｗｍｉｎ／ｃｍ2  ）である。ＷはＵＶランプ５７が紫外線を投射する強度（放射束）であり、強度Ｗの単位は（Ｗ）である。溶質濃度ｃの単位は（ｍｏｌ／Ｌ）であり、吸光係数αには単位がない。ｌｋは除菌容器４３のうち左方の栓４０の右端面から右方の栓４０の左端面までの長さ寸法であり、長さ寸法ｌｋの単位は（ｃｍ）である。ｌはＵＶランプ５７の左方の電極５８の右端面から右方の電極５８の左端面までの長さ寸法であり、長さ寸法ｌの単位は（ｃｍ）である。Ｌは除菌反応容器４３の出口２４から排出される風呂水の流量であり、流量Ｌの単位は（Ｌ／ｍｉｎ）である。Ｃは保護容器４４の軸心線から外表面までの半径であり、半径Ｃの単位は（ｃｍ）である。ｒはＵＶランプ５７の軸心線から除菌容器４３の内表面までの距離であり、距離ｒの単位は（ｃｍ）である。図５の（ｂ）は長さ寸法ｌｋと長さ寸法ｌと半径Ｃと距離ｒのそれぞれを示すものである。
【００３２】
上記実施例１によれば次の効果を奏する。
給水ポンプ１３の運転状態では風呂水が下除菌室５０内を右から左へ流れた後に通水口５６から上除菌室５１内に進入し、風呂水が上除菌室５１内に進入した場合には上除菌室５１内を左から右へ流れた後に出口２４から水槽２内に注入される。このため、風呂水が除菌容器４３内をＵ字状の経路で流れるので、風呂水が除菌容器４３内に留まる滞留時間が長くなる。従って、除菌容器４３内での風呂水に対する紫外線の照射量が増えるので、風呂水がオゾンおよび金属イオンのそれぞれを用いることなく十分に殺菌される。
【００３３】
ＵＶランプ５７を保護容器４４内に収納した。このため、ＵＶランプ５７が風呂水で濡れることがなくなり、ＵＶランプ５７に衝撃力が直接的に作用することでＵＶランプ５７のガラス管が破損することが防止される。しかも、保護容器４４を紫外線が透過可能な樹脂を材料に成形したので、保護容器４４に衝撃力が作用することで保護容器４４が破損することも防止される。
【００３４】
上分割容器３１の内周面に上反射層６０を設けたので、ＵＶランプ５７から上除菌室５１内に照射された光が上反射層６０で反射される。このため、風呂水が上除菌室５１内を左から右へ流れる場合に風呂水に照射される紫外線の照射量が増えるので、殺菌能力が向上する。しかも、紫外線が上分割容器３１に直接的に照射されることがなくなるので、上分割容器３１が紫外線で劣化することも防止される。
【００３５】
下分割容器３４の内周面に下反射層５９を設けたので、ＵＶランプ５７から下除菌室５０内に照射された光が下反射層５９で反射される。このため、風呂水が下除菌室５０内を右から左へ流れる場合に風呂水に照射される紫外線の照射量が増えるので、殺菌能力が向上する。しかも、紫外線が下分割容器３４に直接的に照射されることがなくなるので、下分割容器３４が紫外線で劣化することも防止される。
【００３６】
仕切部材４９の前端面と後端面と右端面のそれぞれを除菌容器４３の内面に接触させたので、下除菌室５０内の風呂水が通水口５６を通ることなく仕切部材４９および除菌容器４３相互間から上除菌室５１内に進入することがなくなる。従って、風呂水が除菌容器４３内をＵ字状の経路で確実に流れるようになるので、殺菌能力が向上する。
【００３７】
通水口５６を上下方向から見た場合の通水口５６の面積を入口２３および出口２４のそれぞれを上下方向から見た場合の入口２３および出口２４のそれぞれの面積に比べて大きく設定した。このため、風呂水が通水口５６を通過することで風呂水の流量が低下することがなくなるので、除菌浄化装置２２の影響で目標水位の風呂水を水槽２内に貯留するための所要時間が長くなることが防止される。
【００３８】
紫外線の照射量Ａが極大Ａｍａxとなるように距離ｒを設定したので、距離ｒが過小となることで風呂水の流速が過大に速くなることなく、距離ｒが過大となることでＵＶランプ５７から風呂水までの距離が過大に長くなることがなくなる。従って、ＵＶランプ５７から風呂水に対する紫外線の照射量Ａが最大限に増えるので、除菌能力が最大限に高められる。
【００３９】
保護容器４４と前仕切板４７と後仕切板４８相互間を一体に成形したので、保護容器４４および前仕切板４７相互間に隙間が生じることがなくなり、保護容器４４および後仕切板４８相互間に隙間が生じることがなくなる。従って、風呂水が除菌容器４３内をＵ字状の経路で確実に流れるので、殺菌能力が向上する。
【００４０】
上記実施例１においては、除菌容器４３を入口２３および出口２４のそれぞれが通水口５６に対して高所となる縦向きに配置しても良い。
上記実施例１においては、上分割容器３１の内周面および下分割容器３４の内周面のそれぞれにアルミニウムを蒸着することで反射層を形成しても良い。
【００４１】
上記実施例１においては、上分割容器３１の内周面および下分割容器３４の内周面のそれぞれにステンレス製の板を接合することで反射層を形成しても良い。
上記実施例１においては、保護容器４４を石英ガラスまたはＰＦＡ（ペルフルオロアルコキシフッ素樹脂）または四フッ化エチレン・六フッ化プロピレン共重合体）を材料に成形しても良い。
【００４２】
上記実施例１においては、前通水口５４および後通水口５５のそれぞれを上下方向から見た場合の合計の面積を入口２３および出口２４のそれぞれを上下方向から見た場合の面積と同一に設定しても良い。
【００４３】
上記実施例１においては、水を除菌することで飲料水とする除菌浄化装置に本発明を適用しても良い。
上記実施例１においては、除菌の対象として風呂水を例に説明したが、一度すすぎに使用した水や雨水等であっても良い。
【００４４】
以上に説明した除菌浄化装置２２は上記実施例にのみ限定されるものではなく、要旨を逸脱しない範囲内で適宜変更して実施し得る。実施例は例として提示したものであり、発明の範囲を限定することは意図していない。この新規な実施例はその他の様々な例で実施されることが可能であり、発明の要旨を逸脱しない範囲で種々の省略、置き換え、変更を行うことができる。これら実施例やその変形例は発明の範囲や要旨に含まれると共に特許請求の範囲に記載された発明とその均等の範囲に含まれる。
【符号の説明】
【００４５】
２２は除菌浄化装置、２３は入口、２４は出口、４３は除菌容器、４４は保護容器（保護管）、４９は仕切部材、５０は下除菌室（入口側除菌室）、５１は上除菌室（出口側除菌室）、５６は通水口、５７はＵＶランプ（紫外投射器）、５９は下反射層（反射層）、６０は上反射層（反射層）である。
【図１】
0005881488.tif 000002
【図２】
0005881488.tif 000003
【図３】
0005881488.tif 000004
【図４】
0005881488.tif 000005
【図５】
0005881488.tif 000006